(57)【特許請求の範囲】
【請求項１】
固定枠と、固定枠に対し回動可能に支持されて、固定枠とともにコの字形の枠を形成する可動枠と、可動枠に一端が固定され、可動枠の回動時に他端が固定枠による支持を解かれてリフトアップし、可動枠の回動復帰時に固定枠に支持される芯棒と、芯棒に取り付けられて該芯棒に保持された巻回ロールの一端を軸方向に押圧する押圧手段と、固定枠に設けられ、芯棒に保持されて軸方向に押圧された巻回ロールの他端を円滑に支持する滑り台と、固定枠に設けられ、芯棒に保持された巻回ロールの外周をばねの弾発力を利用して押さえる惰性回転防止手段とを備えたことを特徴とするロールホルダー。
【発明の詳細な説明】
【０００１】
【発明の属する技術分野】
本発明はビニールシートあるいはビニール袋等をロール状に捲着し、これを回転自在に保持するロールホルダーに関する。
【０００２】
【従来の技術】
従来のロールホルダーは、図９に示すように、長尺のビニールシートあるいはビニール袋等を巻回さたロール３４の筒芯にロールの幅より長尺に形成されている芯棒３１を挿通させ、この芯棒３１の両端を枠体３２のＵ字形掛止溝３３に載置し、回転自在に係合させ、前記ビニールシートあるいはビニール袋を引き出しが可能な状態にしている。ロール３４には円周面を圧接してロール３４の惰性回転を防止する押さえ金３５が枠体３２に対してバネ３６を介して圧接する方向に付勢された構成のものが公知である。
【０００３】
【発明が解決しようとする課題】
しかしながら、前記従来のロールホルダーは、芯棒３１の両端が枠体３２のＵ字形掛止溝３３に係合されたままであるために、ロール３４の回転が不安定で、係止機構が設けられていないので、芯棒３１が外れやすい。このため商品陳列棚等の壁面や天井に設置することが困難であった。
【０００４】
よって本発明は、前記従来の問題点に鑑みてなされたものであり、壁面や天井に設置してもロールが外れることなく、しかもロールの装脱が容易なロールホルダーの提供を目的とする。
【０００５】
【課題を解決するための手段】
上記目的を達成するため、本発明のロールホルダーに係る請求項１は、固定枠と、固定枠に対し回動可能に支持されて、固定枠とともにコの字形の枠を形成する可動枠と、可動枠に一端が固定され、可動枠の回動時に他端が固定枠による支持を解かれてリフトアップし、可動枠の回動復帰時に固定枠に支持される芯棒と、芯棒に取り付けられて該芯棒に保持された巻回ロールの一端を軸方向に押圧する押圧手段と、固定枠に設けられ、芯棒に保持されて軸方向に押圧された巻回ロールの他端を円滑に支持する滑り台と、固定枠に設けられ、芯棒に保持された巻回ロールの外周をばねの弾発力を利用して押さえる惰性回転防止手段とを備えたことを特徴とする。
【０００６】
請求項１によれば、固定枠に対し可動棒が回動可能に取り付けられ、この可動枠に芯棒の一端が固定されているので、可動枠を回動して芯棒の他端をリフトアップすることが可能となる。これにより芯棒にロールを装着することが容易になる。また固定枠のうち可動枠に対向する芯棒支持板に芯棒の他端を係止し、また係止を開放する係止手段を設けたことにより使用中に芯棒が芯棒支持板から外れる惧れがなくなる。これにより、例えばロールホルダーを壁面又は天井の下面等に設置することが可能となる。また、滑り台は押圧手段により押された巻回ロールの端面を、磨耗、損傷しないように円滑に支持する。さらに、惰性回転防止手段はバネの弾発力を利用して巻回ロールの外周を押圧するため、これが巻回ロールの下方に設けられても、巻回ロールの回転ブレーキとして確実に機能する。
【０００７】
【発明の実施の形態】
以下、本発明の実施の形態を図面に基づいて説明する。
図１から図８は本発明の実施の形態に係り、図１はロールホルダーの全体を示す斜視図、図２は固定枠と可動枠の連結部を示す上面図、図３は可動枠に対する芯棒の取付構造と可動枠の挙動を示す正面図、図４は固定枠の芯棒支持構造を示す側面図、図５は同上面図、図６から８はロールホルダーの設置例を示す図である。
【０００８】
本発明のロールホルダーは、巻回ロール１を回転自在に保持する芯棒２と、芯棒２の一端を固定して回動することにより芯棒２の他端をリフトアップする可動枠３と、該可動枠３が回動可能に連結されかつ芯棒２の他端を係脱自在に支持する固定枠４と、該固定枠４の支持部５から芯棒２が外れないように係止しまたは係止を開放する係止手段と、ロール１の一端を軸方向に押圧する押圧手段と、ロール１の円周面を圧接する惰性回転防止手段とを備えたものである。
【０００９】
固定枠４はＬ形に形成され、Ｌ形の固定枠４の端部に、図２に示すように連結ボルト８を介して可動枠３が回動自在に連結されている。そして固定枠４と可動枠３とは全体としてコの字形の枠体をなす。なお可動枠３の固定枠４と重なる部位には位置決め突起３ａが形成されており、この突起３ａが固定枠４の対応する位置に形成された位置決め凹部４ａに係合するように可動枠３が回動停止されたとき、前記コの字形が保たれるようになっている。
【００１０】
芯棒２をリフトアップして可動枠３を回動させ、突起３ａを凹部４ａから脱出させて固定枠４の側面に摺動するように移動させることにより、そのリフトアップ状態が維持される。これによりロール１の芯棒２への装填が可能となる。一方、装填後はロール１の重量により芯棒２は自動的に所定の位置（図１および図３の実線の位置）にセットされる。
【００１１】
可動枠３は、図３に示すようにＬ形の固定枠４の芯棒支持板部１１と対向する芯棒固定板部９に芯棒２の一端が当接され、かつこの芯棒固定板部９を挟み込んで外側からボルト１０がネジこまれることで、固定されている。従ってこの状態で連結ボルト８を中心に可動枠３を回動することにより芯棒２の他端が２点鎖線にて示すように斜め上方にリフトアップされるようになっている。
【００１２】
固定枠４は、図４に示すように可動枠３の芯棒固定板部９と対向する芯棒支持板部１１の上縁に芯棒２の他端部を支持するＵ字形支持溝１２が形成されている。更にＵ字形支持溝１２付近の芯棒支持板部１１にはＵ字形支持溝１２内に支持された芯棒２の抜け止めをする係止手段としてストッパー６がネジ軸１３を中芯に回動自在に設けられている。このストッパー６は先端に係止突起１４が形成されており、水平方向に回動した位置で係止突起１４により芯棒２を係止してＵ字形支持溝１２から外れることを防止している。また、ストッパー６が垂直方向に回動した位置では係止突起１４が下方の位置に移動することにより係止が開放され、芯棒がＵ字形支持溝１２から上方に離脱可能となる。
【００１３】
またストッパー６の後端上部には固定枠４の外側に向けてハンドル１５が曲折形成されており、このハンドル１５は手操作にてストッパー６の回動を容易にすると共に固定枠４の上縁に当接してストッパー６の水平位置を保って芯棒２の係止を保つ役をなしている。
【００１４】
また図３示すように可動枠３に固定した芯棒２の基端部にはロール１の端面を軸方向、即ち芯棒支持板部１１側に押圧する押圧手段としてコイルバネ１６及び座金１７が嵌着されている。そして固定枠４の芯棒支持板部１１内面には押圧手段にて押圧されたロール１の他端の摺動を容易にする滑り台１８が設けられている。
【００１５】
更に、芯棒２の他端の端面側にはネジ孔が設けられ、図３及び図５に示すようにネジ軸１９がネジ固定されている。このネジ軸１９の軸部にはスリーブ２０が嵌合されており、スリーブ２０により芯棒２の端面とネジ軸１９の頭部との間隔が保たれ、この部分がＵ字形支持溝１２に支持されている。
【００１６】
一方、固定枠４の長板部７の内側には、ロール１の円周面に圧接してロール１の空回りを阻止する惰性回転防止手段としての、押さえ金２１が設けられ、これが捩りコイルバネ２２によってロール１の円周面を圧接する方向に付勢されている。
【００１７】
更に、底面７にはロールホルダーを、例えば壁面等に設置するための複数の取付穴２３が設けられている。
【００１８】
以上述べたロールホルダーは、使用に際して、先ずストッパー６を垂直方向に回動して固定枠４側に支持された芯棒２の端部の係止を解除する。更に可動枠３を回動して芯棒２の開放端を斜め上方にリフトアップし、芯棒２にロール１を保持させる。
【００１９】
次にロール１を可動枠３側に押圧し、かつ押さえ金２１を押し開きつつ芯棒２の開放端を固定枠４のＵ字形支持溝１２内に押し込む。これにより芯棒２の開放端は固定枠４のＵ字形支持溝１２内に支持されるので、この状態でストッパー６を水平に倒すことによりストッパー６の係止突起１４がＵ字形支持溝１２の開口部を塞ぎ、芯棒２が係止されて外れなくなる。これにてロール１の装着が完了し使用可能な状態となる。
【００２０】
この構成のロールホルダーは、前述した通り、芯棒２がストッパー６にて係止され脱落防止されているので、例えば図６に示すように、スタンド２４の片面又は両面に固定することができる。また、図７に示すように、壁面２５又は図８に示すように、天板２６の下面に固定してもロールが脱落することがない。
【００２１】
【発明の効果】
本発明によれば、固定枠４に可動枠が回動可能に連結され、更に可動枠に芯棒の一端が固定されているので、可動枠を回動することにより芯棒の他端をリフトアップすることができ、ロールの装着が容易になる。
【００２２】
またロールを装着した芯棒の開放端は固定枠の支持部に支持され、かつ係止手段にて係止して抜け止めすることが可能であるので使用中に芯棒が支持部から外れる恐れがない。これによりロールホルダーを壁面又は天板の下面等に設置することが可能となる。
【００２３】
更にロールは押圧手段にて軸方向に押圧され、更に惰性回転防止手段のコイルバネにて円周面が圧接されているので安定した状態でロールを回転させながら引き出したビニールの袋等を適切な長さにて切断することが可能となる。
【図面の簡単な説明】
【図１】本発明の実施の形態係るロールホルダーの全体を示す斜視図。
【図２】固定枠と可動枠の連結部を示す上面図。
【図３】可動枠に対する芯棒の取付構造と可動枠の挙動を示す正面図。
【図４】固定枠に対する芯棒支持構造を示す側面図。
【図５】同上面図。
【図６】ロールホルダーの設置例を示す図。
【図７】ロールホルダーの設置例を示す図。
【図８】ロールホルダーの設置例を示す図。
【図９】従来のロールホルダーの説明図。
【符号の説明】
１…ロール                      ２…芯棒
３…可動枠                      ４…固定枠
５…支持部                      ６…ストッパー
７…Ｌ形の底面                  ８…連結ボルト
９…可動枠側の平行面          １０…ボルト
１１…固定枠側の平行面          １２…Ｕ字形支持溝
１３…ネジ軸                    １４…係止突起
１５…ハンドル                  １６…コイルバネ
１７…座金                      １８…滑り台
２０…スリーブ                  ２１…押さえ金
２２…捩りコイルバネ            ２３…取付穴
２４…スタンド                  ２５…座面
２６…天板
【図１】
0003650755.tif 000002
【図２】
0003650755.tif 000003
【図３】
0003650755.tif 000004
【図４】
0003650755.tif 000005
【図５】
0003650755.tif 000006
【図６】
0003650755.tif 000007
【図７】
0003650755.tif 000008
【図８】
0003650755.tif 000009
【図９】
0003650755.tif 000010